(57)【要約】  分岐した光伝送路上に、交換可能に構成された複数の光伝送装置が配置され、前記複数の光伝送装置は、第１光伝送装置と第２光伝送装置とを含み、前記第１光伝送装置は、前記第１光伝送装置の動作を制御する第１制御部を有し、前記第２光伝送装置は、前記第２光伝送装置の動作を制御する第２制御部を有し、前記第２制御部は、前記第１制御部が前記第１光伝送装置を制御するために使用する基準となる情報のデータを記憶しており、前記第１制御部と相互に通信を行って前記データを前記第１制御部に送信するように構成されている。これにより、分岐した光伝送路上に複数の光増幅器を配置した光伝送システム１００において、光増幅器を交換して使用するのに適する光伝送システムを提供することができる。
2014104355.tif 000002
【特許請求の範囲】
【請求項１】
分岐した光伝送路上に、交換可能に構成された複数の光伝送装置が配置され、
前記複数の光伝送装置は、第１光伝送装置と第２光伝送装置とを含み、
前記第１光伝送装置は、前記第１光伝送装置の動作を制御する第１制御部を有し、
前記第２光伝送装置は、前記第２光伝送装置の動作を制御する第２制御部を有し、前記第２制御部は、前記第１制御部が前記第１光伝送装置を制御するために使用する基準となる情報のデータを記憶しており、前記第１制御部と相互に通信を行って前記データを前記第１制御部に送信するように構成されていることを特徴とする光伝送システム。
【請求項２】
前記第２制御部は、前記第１制御部からの要求に従って前記データを送信することを特徴とする請求項１に記載の光伝送システム。
【請求項３】
前記複数の光伝送装置は、後置光伝送装置と、前記光伝送路上において前記後置光伝送装置よりも上位に位置する前置光伝送装置とを含み、
前記第１光伝送装置は、前記後置光伝送装置であり、前記第２光伝送装置は、前記前置光伝送装置であることを特徴とする請求項１または２に記載の光伝送システム。
【請求項４】
前記複数の光伝送装置は、後置光伝送装置と、前記光伝送路上において前記後置光伝送装置よりも上位に位置する前置光伝送装置とを含み、
前記第１光伝送装置は、前記前置光伝送装置であり、前記第２光伝送装置は、前記後置光伝送装置であることを特徴とする請求項１または２に記載の光伝送システム。
【請求項５】
前記複数の光伝送装置は、複数の後置光伝送装置と、前記光伝送路上において前記複数の後置光伝送装置よりも上位に位置する前置光伝送装置とを含み、
前記第１光伝送装置および前記第２光伝送装置は、前記複数の後置光伝送装置に含まれることを特徴とする請求項１または２に記載の光伝送システム。
【請求項６】
前記複数の光伝送装置は、複数の後置光伝送装置と、前記光伝送路上において前記複数の後置光伝送装置よりも上位に位置する前置光伝送装置と、前記前置光伝送装置よりもさらに上位に位置する上位光伝送装置とを含み、
前記第１光伝送装置は、前記上位光伝送装置であり、前記第２光伝送装置は、前記前置光伝送装置または前記後置光伝送装置であることを特徴とする請求項１または２に記載の光伝送システム。
【請求項７】
前記基準となる情報は、前記第１光伝送装置の静特性、動特性、アラーム条件、または固有情報の情報と、該情報と関連付けられた、前記第１光伝送装置を特定するための位置情報とを含むことを特徴とする請求項１〜６のいずれか一つに記載の光伝送システム。
【請求項８】
前記複数の光伝送装置は光増幅器を含むことを特徴とする請求項１〜７のいずれか一つに記載の光伝送システム。
【発明の詳細な説明】
【技術分野】
【０００１】
本発明は、光伝送システムに関するものである。
【背景技術】
【０００２】
ＦＴＴｘ用映像分配システムにおいて、従来、光伝送装置としての光増幅器は、１つの高出力の光増幅器の出力側に複数の光分配器を接続して、マルチポートの出力構成としている。しかしながら、光増幅器に障害が発生した場合には、すべての出力ポートに接続された多数の加入者へ障害が波及するおそれがある。そこで、障害波及範囲を極力狭い領域に収めるために複数の光増幅器を用いる場合がある。（特許文献１参照）。【０００３】
図６は、光分配器によって分岐した光伝送路上に複数の光増幅器を配置した光伝送システムの一例の模式的な構成図である。この光伝送システム１０００では、Ｎを２以上の整数として、１×Ｎの光分配器１０３０によって分岐した光伝送路上に、前置光増幅器１０２０と、Ｎ個の後置光増幅器１０４０−１〜１０４０−Ｎが配置されている。【０００４】
前置光増幅器１０２０は、光増幅部である前置増幅部１０２１と、前置光増幅器１０２０の動作を制御する制御部である前置増幅部用制御回路１０２２とを備えている。前置増幅部用制御回路１０２２は前置光増幅器１０２０の動作を制御するために使用される情報のデータＤ１００１（♯Ａで示す）を記憶している。【０００５】
後置光増幅器１０４０−１〜１０４０−Ｎは、それぞれ、光増幅部である後置増幅部１０４１−１〜１０４１−Ｎと、後置光増幅器１０４０−１〜１０４０−Ｎの動作を制御する制御部である後置増幅部用制御回路１０４２−１〜１０４２−Ｎとを備えている。後置増幅部用制御回路１０４２−１〜１０４２−Ｎはそれぞれ、後置光増幅器１０４０−１〜１０４０−Ｎのそれぞれの動作を制御するために使用される情報のデータＤ１００２−１〜Ｄ１００２−Ｎ（♯１〜♯Ｎで示す）をそれぞれ記憶している。【０００６】
光分配器１０３０は、１ポート側が前置光増幅器１０２０の光出力ポートに接続し、Ｎポート側が後置光増幅器１０４０−１〜１０４０−Ｎのそれぞれの光入力ポートに光コネクタ１０６０−１〜１０６０−Ｎを介して接続している。【０００７】
光入力ポート１０１０から前置光増幅器１０２０の光入力ポートに信号光が入力されると、前置光増幅器１０２０は信号光を増幅し、光分配器１０３０に出力する。光分配器１０３０は入力された信号光を略等分にＮ分岐し、後置光増幅器１０４０−１〜１０４０−Ｎのそれぞれに出力する。後置光増幅器１０４０−１〜１０４０−Ｎはそれぞれ入力された信号光を増幅して光出力ポート１０５０−１〜１０５０−Ｎのそれぞれに出力する。光出力ポート１０５０−１〜１０５０−Ｎから出力された各信号光は加入者に分配される。
【先行技術文献】
【特許文献】
【０００８】
【特許文献１】特許第４９４８０８５号公報
【発明の概要】
【発明が解決しようとする課題】
【０００９】
図６に示した光伝送システムでは、或る光増幅器が故障した場合には、故障した光増幅器は予備の光増幅器に交換される。各光増幅器の制御回路は、その光増幅器を制御するために使用されるデータを記憶しているので、置き換えられた後、記憶されたデータに基づく動作状態で動作する。【００１０】
ここで、光出力ポート１０５０−１〜１０５０−Ｎから加入者までの距離が、ポートごとで異なる場合がある等の理由によって、光増幅器ごとに必要な特性、たとえば光増幅特性が異なる。したがって、故障による交換を行う場合には、特性が異なる光増幅器ごとに予備の光増幅器を用意する必要があるので、用意すべき光増幅器の品種が多くなり、管理が煩雑になる。【００１１】
また、この煩雑さを解消するために、各光増幅器として使用できる汎用の光増幅器を用意する場合、汎用の光増幅器とたとえば光減衰器などの増幅特性を調整するための装置とを組み合わせて使用する必要がある。たとえば、加入者までの伝送路の距離が、汎用の光増幅器の光出力に比して短い場合は、光減衰器で汎用の光増幅器の光出力を減衰させた上で、使用する必要がある。この場合、使用する装置点数の増加や電力の無駄な消費などの問題が生じる。【００１２】
また、交換前後で光増幅器の動特性が異なる場合などには、交換後の光増幅器と、その前後に接続された光増幅器との動作タイミングの不整合が生じ、意図せず問題動作を誘発させる場合がある。たとえば、後置光増幅器に前置光増幅器からの信号光の入力がない状態で後置光増幅器が立ち上がり、その後に前置光増幅器から信号光が入力された場合に、光サージが発生する等の問題が生じる。【００１３】
本発明は、上記に鑑みてなされたものであって、分岐した光伝送路上に複数の光増幅器を配置した光伝送システムにおいて、光増幅器を交換して使用するのに適する光伝送システムを提供することを目的とする。
【課題を解決するための手段】
【００１４】
上述した課題を解決し、目的を達成するために、本発明に係る光伝送システムは、分岐した光伝送路上に、交換可能に構成された複数の光伝送装置が配置され、前記複数の光伝送装置は、第１光伝送装置と第２光伝送装置とを含み、前記第１光伝送装置は、前記第１光伝送装置の動作を制御する第１制御部を有し、前記第２光伝送装置は、前記第２光伝送装置の動作を制御する第２制御部を有し、前記第２制御部は、前記第１制御部が前記第１光伝送装置を制御するために使用する基準となる情報のデータを記憶しており、前記第１制御部と相互に通信を行って前記データを前記第１制御部に送信するように構成されていることを特徴とする。【００１５】
また、本発明に係る光伝送システムは、上記発明において、前記第２制御部は、前記第１制御部からの要求に従って前記データを送信することを特徴とする。【００１６】
また、本発明に係る光伝送システムは、上記発明において、前記複数の光伝送装置は、後置光伝送装置と、前記光伝送路上において前記後置光伝送装置よりも上位に位置する前置光伝送装置とを含み、前記第１光伝送装置は、前記後置光伝送装置であり、前記第２光伝送装置は、前記前置光伝送装置であることを特徴とする。【００１７】
また、本発明に係る光伝送システムは、上記発明において、前記複数の光伝送装置は、後置光伝送装置と、前記光伝送路上において前記後置光伝送装置よりも上位に位置する前置光伝送装置とを含み、前記第１光伝送装置は、前記前置光伝送装置であり、前記第２光伝送装置は、前記後置光伝送装置であることを特徴とする。【００１８】
また、本発明に係る光伝送システムは、上記発明において、前記複数の光伝送装置は、複数の後置光伝送装置と、前記光伝送路上において前記複数の後置光伝送装置よりも上位に位置する前置光伝送装置とを含み、前記第１光伝送装置および前記第２光伝送装置は、前記複数の後置光伝送装置に含まれることを特徴とする。【００１９】
また、本発明に係る光伝送システムは、上記発明において、前記複数の光伝送装置は、複数の後置光伝送装置と、前記光伝送路上において前記複数の後置光伝送装置よりも上位に位置する前置光伝送装置と、前記前置光伝送装置よりもさらに上位に位置する上位光伝送装置とを含み、前記第１光伝送装置は、前記上位光伝送装置であり、前記第２光伝送装置は、前記前置光伝送装置または前記後置光伝送装置であることを特徴とする。【００２０】
また、本発明に係る光伝送システムは、上記発明において、前記基準となる情報は、前記第１光伝送装置の静特性、動特性、アラーム条件、または固有情報の情報と、該情報と関連付けられた、前記第１光伝送装置を特定するための位置情報とを含むことを特徴とする。【００２１】
また、本発明に係る光伝送システムは、上記発明において、前記複数の光伝送装置は光増幅器を含むことを特徴とする。
【発明の効果】
【００２２】
本発明によれば、光増幅器を交換して使用するのに適する光伝送システムを実現できるという効果を奏する。
【図面の簡単な説明】
【００２３】
【図１】図１は、実施の形態１に係る光伝送システムの模式的な構成図である。
【図２】図２は、前置光増幅器の模式的な構成図である。
【図３】図３は、実施の形態２に係る光伝送システムの模式的な構成図である。
【図４】図４は、実施の形態３に係る光伝送システムの模式的な構成図である。
【図５】図５は、実施の形態４に係る光伝送システムの模式的な構成図である。
【図６】図６は、光分配器を用いて分岐した光伝送路上に複数の光増幅器を配置した光伝送システムの一例の模式的な構成図である。
【発明を実施するための形態】
【００２４】
以下に、図面を参照して本発明に係る光伝送システムの実施の形態を詳細に説明する。なお、この実施の形態によりこの発明が限定されるものではない。また、各図面において、同一または対応する要素には適宜同一の符号を付している。また、図面は模式的なものであり、各要素の寸法の比率などは現実のものとは異なることに留意すべきである。また、図面相互間においても互いの寸法の関係や比率が異なる部分が含まれている。
【００２５】
図１は、本発明の実施の形態１に係る光伝送システムの模式的な構成図である。この光伝送システム１００では、１×Ｎの光分配器３０によって分岐した光伝送路上に、光伝送装置としての前置光増幅器２０と、光伝送装置としてのＮ個の後置光増幅器４０−１〜４０−Ｎが配置されている。
【００２６】
前置光増幅器２０は、光増幅部である前置増幅部２１と、前置光増幅器２０の動作を制御する制御部である前置増幅部用制御回路２２とを備えている。
【００２７】
後置光増幅器４０−１〜４０−Ｎは、それぞれ、光増幅部である後置増幅部４１−１〜４１−Ｎと、後置光増幅器４０−１〜４０−Ｎの動作を制御する制御部である後置増幅部用制御回路４２−１〜４２−Ｎとを備えている。
【００２８】
光分配器３０は、１ポート側が前置光増幅器２０の光出力ポートに接続し、Ｎポート側が後置光増幅器４０−１〜４０−Ｎのそれぞれの光入力ポートに光コネクタ６０−１〜６０−Ｎを介して接続している。
【００２９】
前置光増幅器２０の光入力ポートは光入力ポート１０に接続しており、後置光増幅器４０−１〜４０−Ｎの光出力ポートはそれぞれ光出力ポート５０−１〜５０−Ｎに接続している。
【００３０】
また、前置光増幅器２０の前置増幅部用制御回路２２は、電気信号伝送路ＥＬ１と電気コネクタ７０−１〜７０−Ｎとを介して後置光増幅器４０−１〜４０−Ｎの後置増幅部用制御回路４２−１〜４２−Ｎのそれぞれに接続している。
【００３１】
つぎに、光増幅器の構成の一例について説明する。図２は、前置光増幅器の模式的な構成図である。なお、後置光増幅器４０−１〜４０−Ｎのそれぞれも、図２に示す構成と同様の構成を有することができる。また、前置光増幅器２０および後置光増幅器４０−１〜４０−Ｎは、故障した場合に予備の光増幅器に交換可能に構成されている。
【００３２】
前置増幅部２１は、光カプラ２１ａと、光カプラ２１ａに接続した光検出器２１ｂと、前記光カプラ２１ａに接続した波長多重合分波カプラ２１ｃと、波長多重合分波カプラ２１ｃに接続した励起レーザ素子２１ｄと、波長多重合分波カプラ２１ｃに接続した増幅用光ファイバ２１ｅと、増幅用光ファイバ２１ｅに接続した光カプラ２１ｆと、光カプラ２１ｆに接続した光検出器２１ｇとを備えている。
【００３３】
光カプラ２１ａ、２１ｆは、入力された光の一部（たとえば１％〜１０％）を分岐するものであり、たとえば溶融型やフィルタ型の光カプラである。光検出器２１ｂ、２１ｇは、光を受光してその受光強度に応じた値の電流を出力するものであり、たとえばフォトダイオードである。励起レーザ素子２１ｄは、増幅用光ファイバ２１ｅを励起するための励起レーザ光を出力するものであり、たとえば半導体レーザ素子である。波長多重合分波カプラ２１ｃは、光カプラ２１ａから入力された光と励起レーザ素子２１ｄから出力された励起レーザ光を合波して増幅用光ファイバ２１ｅに出力するものであり、たとえば溶融型やフィルタ型の光カプラである。
【００３４】
増幅用光ファイバ２１ｅは、光増幅媒体であるエルビウムやイッテルビウムなどの希土類元素がコアに添加された光ファイバであり、光増幅作用を有するものである。増幅用光ファイバ２１ｅとしてはたとえばダブルクラッド型の光ファイバを用いても良い。
【００３５】
つぎに、前置増幅部用制御回路２２は、デジタル／アナログ変換部２２ａと、アナログ／デジタル変換部２２ｂと、演算処理部２２ｃと、記憶部２２ｄと、入出力部２２ｅとを備えている。
【００３６】
デジタル／アナログ変換部２２ａは、デジタル電気信号をアナログ電気信号に変換するものである。アナログ／デジタル変換部２２ｂは、アナログ電気信号をデジタル電気信号に変換するものである。演算処理部２２ｃは、前置光増幅器２０の制御のための各種演算処理を行うものであり、たとえばＣＰＵ（Ｃｅｎｔｒａｌ  Ｐｒｏｃｅｓｓｉｎｇ  Ｕｎｉｔ）で構成される。記憶部２２ｄは、演算処理部２２ｃが演算処理を行うために使用する各種プログラムやデータ（ファームウェアなど）等が格納される部分と、演算処理部２２ｃが演算処理を行う際の作業スペース等として使用される部分を含み、たとえばＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）とで構成される。入出力部２２ｅは、電気信号伝送路ＥＬ１（図１参照）を介して他の制御回路と電気信号の入出力を行ったり、外部のパーソナルコンピュータＰＣと電気信号の入出力を行ったりするものである。入出力部２２ｅはたとえばＲＳ２３２Ｃポートやイーサネット（登録商標）ポートである。
【００３７】
前置光増幅器２０の基本的な動作について説明する。紙面左側の光入力ポートから信号光が入力されると、光カプラ２１ａは信号光を通過させるとともにその一部を光検出器２１ｂ側に分岐する。一方、励起レーザ素子２１ｄは前置増幅部用制御回路２２により制御された駆動電流を供給されて励起レーザ光を出力する。波長多重合分波カプラ２１ｃは、光カプラ２１ａから入力された信号光と励起レーザ素子２１ｄから出力された励起レーザ光を合波して増幅用光ファイバ２１ｅに出力する。増幅用光ファイバ２１ｅでは、希土類元素が励起レーザ光によって光励起されて光増幅作用を有しており、これによって信号光はレーザ増幅されて出力される。光カプラ２１ｆは増幅された信号光を通過させて出力するとともにその一部を光検出器２１ｇ側に分岐する。
【００３８】
光検出器２１ｂは、光カプラ２１ａから光検出器２１ｂ側に分岐された信号光を受光し、その受光強度に応じた値の電流をアナログ電気信号としてアナログ／デジタル変換部２２ｂに出力する。光検出器２１ｂからアナログ／デジタル変換部２２ｂに入力された電気信号は光入力モニタに使用される。光検出器２１ｇは、光カプラ２１ｆから光検出器２１ｇ側に分岐された、増幅された信号光を受光し、その受光強度に応じた値の電流をアナログ電気信号としてアナログ／デジタル変換部２２ｂに出力する。光検出器２１ｇからアナログ／デジタル変換部２２ｂに入力された電気信号は光出力モニタに使用される。また、アナログ／デジタル変換部２２ｂには、励起レーザ素子２１ｄから励起レーザ素子２１ｄの温度、および出力している励起レーザ光の強度、若しくは、駆動している励起レーザ素子の駆動電流を示す電気信号が入力される。これらの電気信号は励起レーザ素子２１ｄの制御に用いられる。
【００３９】
演算処理部２２ｃは、アナログ／デジタル変換部２２ｂに入力された各電気信号をもとに所定の演算処理を行い、前置増幅部２１が所定の制御状態となるように励起レーザ素子２１ｄに駆動電流を流す制御を行う。たとえば、前置増幅部２１を光出力が一定となるように制御するＡＬＣ（Ａｕｔｏｍａｔｉｃ  Ｌｅｖｅｌ  Ｃｏｎｔｒｏｌ）制御や、前置増幅部２１を利得が一定となるように制御するＡＧＣ（Ａｕｔｏｍａｔｉｃ  Ｇａｉｎ  Ｃｏｎｔｒｏｌ）制御や、励起レーザ素子２１ｄに流れる駆動電流が一定となるように制御するＡＣＣ（Ａｕｔｏｍａｔｉｃ  Ｃｕｒｒｅｎｔ  Ｃｏｎｔｒｏｌ）制御、或いは、励起レーザ素子２１ｄが出力する励起レーザ光のパワーを一定制御するＡＰＣ（Ａｕｔｏｍａｔｉｃ  Ｐｕｍｐ  Ｐｏｗｅｒ  Ｃｏｎｔｒｏｌ）を行う。なお、前置光増幅器においては、ＡＣＣまたはＡＬＣ制御が使用されることが多く、後置光増幅器においては、ＡＬＣ制御が使用されることが多い。
【００４０】
また、演算処理部２２ｃは、前置増幅部２１の状態をモニタしており、たとえば光入力や光出力が所定の値以下になったり、励起レーザ素子２１ｄの温度が所定値以上になったり等の異常動作を検知した場合に、励起レーザ素子２１ｄへの駆動電流を遮断したり、アラームを発出したりする制御を行なう。また、励起レーザ素子２１ｄに供給する駆動電流の値が所定値以上になった場合にも、前置増幅部２１の異常動作として検知し、上記制御を行う。アラームの発出はたとえばパーソナルコンピュータＰＣにて音声や画像表示によって行われる。
【００４１】
ここで、図１に示すように、後置光増幅器４０−１〜４０−Ｎの後置増幅部用制御回路４２−１〜４２−Ｎはそれぞれの記憶部において、図６の場合と同様に、後置光増幅器４０−１〜４０−Ｎのそれぞれの動作を制御するために使用される情報のデータＤ２−１〜Ｄ２−Ｎ（♯１〜♯Ｎで示す）をそれぞれ記憶している。
【００４２】
一方、前置光増幅器２０の前置増幅部用制御回路２２は、記憶部２２ｄにおいて、後置増幅部４１−１〜４１−Ｎのそれぞれの動作を制御するために使用される情報のデータＤ２−１〜Ｄ２−Ｎのすべてを含むデータＤ１を記憶している。また、前置増幅部用制御回路２２は、上述したように、記憶部２２ｄにおいて前置増幅部２１の動作を制御するために使用される情報のデータを記憶している。したがって、記憶部２２ｄは、自身が対応する光増幅部の動作を制御するための記憶領域Ａと、他の制御回路が対応する他の光増幅の動作の制御のための記憶領域Ｂとを有している。これを実現するために、記憶部２２ｄは、１または複数の記憶素子からなり、記憶領域Ａ、Ｂにはそれぞれ、独立した記憶素子または記憶素子群が割り当てられていてもよいし、記憶領域Ａ、Ｂが、１または複数の記憶素子がなすデータ空間の分割された領域に対応するように構成してもよい。
【００４３】
この光伝送システム１００において、仮に後置光増幅器４０−１が故障した場合、後置光増幅器４０−１は、予備の後置光増幅器に交換される。交換後、前置光増幅器２０の前置増幅部用制御回路２２は、電気信号伝送路ＥＬ１を介して、交換された後置光増幅器の後置増幅部用制御回路と双方向の通信を行い、交換前の後置増幅部４１−１の動作を制御するために使用されていた情報のデータＤ２−１を、交換後の後置増幅部用制御回路に送信する。これによって、交換後の後置光増幅器は、送信されたデータの情報に基づいて、交換前の後置増幅部４１−１と同様の動作条件で動作することができる。なお、データ通信は、たとえばＴｅｌｎｅｔやＴＣＰ／ＩＰ等の各種プロトコルを用いて行なうことができる。
【００４４】
上述したように、図６に示すような従来の光伝送システムでは、各光増幅器の制御回路は、当該増幅部の動作を制御するために使用される情報のデータのみを記憶していたので、交換に伴い種々の問題を生じていた。
【００４５】
しかしながら、本実施の形態１に係る光伝送システム１００では、第２光伝送装置としての前置光増幅器２０の第２制御部としての前置増幅部用制御回路２２が、後置増幅部４１−１〜４１−Ｎのそれぞれの動作を制御するために使用される情報のデータＤ２−１〜Ｄ２−Ｎのすべてを含むデータＤ１を記憶している。そして、或る後置光増幅器が交換された場合に、交換後の後置光増幅器（第１光伝送装置）を制御するために使用される情報を、交換後の後置光増幅器の後置増幅部用制御回路（第１制御部）に送信する。この送信は、たとえば前置増幅部用制御回路２２の演算処理部２２ｃが、後置光増幅器４０−１〜４０−Ｎの状態を監視しており、或る後置光増幅器が交換されたら、交換後の後置光増幅器にデータを送信することによって行われてもよい。あるいは、交換後の後置光増幅器が自律的に前置増幅部用制御回路２２にデータの送信を要求し、その要求に従ってデータを送信するようにしてもよい。
【００４６】
これらのデータＤ２−１〜Ｄ２−Ｎに含まれる情報は、交換後の後置光増幅器が、交換前の後置光増幅器と同様に動作するための基準の情報となるものである。これによって、特性が異なる光増幅器ごとに予備の光増幅器を用意する必要がなく、使用する装置点数の増加や電力の無駄な消費などの問題が生じず、かつ交換後の光増幅器と、その前後に接続された光増幅器との動作タイミングの不整合が生じず、予期せぬ問題動作を誘発させることも防止される。その結果、この光伝送システム１００は、後置光増幅器を交換して使用するのに適する光伝送システムである。
【００４７】
後置増幅部を制御するために使用される情報としては、たとえば、後置光増幅器の静特性、動特性、アラーム条件、または固有情報である。これらの情報は、その後置光増幅器を特定するための位置情報と関連して記憶される。
【００４８】
後置光増幅器の静特性に関する情報には、たとえば、ＡＣＣ制御のための励起レーザ素子の駆動条件、ＡＬＣ制御のための出力信号光のパワー、ＡＧＣ制御のための利得、光入出力のモニタ情報などが含まれる。
【００４９】
後置光増幅器の動特性に関する情報には、たとえば、後置光増幅器が交換された後の後置光増幅器の起動のタイミング、後置光増幅器のシャットダウンおよびその後の再起動のタイミングなどが含まれる。なお、後置光増幅器の起動または再起動とは、起動させる後置光増幅器の励起レーザ素子２１ｄをＯＦＦ状態からＯＮ状態にすることであり、後置光増幅器のシャットダウンとは、シャットダウンさせる後置光増幅器の励起レーザ素子２１ｄをＯＮ状態からＯＦＦ状態にすることであり、これらの動作時において、光伝送システム１００は常にＯＮ状態である。
【００５０】
シャットダウンおよび再起動のタイミングの情報は、交換された後置光増幅器の前後に接続された光増幅器との動作タイミングの整合のために必要となる。この動作タイミングの整合は、たとえば、前置光増幅器２０が動作状態信号（フラグ）としてＯＮ状態を示すものを送信し、後置光増幅器がこれを受信した場合に、後置光増幅器が所定の起動または再起動のタイミングの情報に従って起動または再起動することにより行われる。同様に、この動作タイミングの整合は、たとえば、前置光増幅器２０がフラグとしてＯＦＦ状態を示すものを送信し、後置光増幅器がこれを受信した場合（または、後置光増幅器がＯＮ状態のフラグを受信しない場合、後置光増幅器が接続されていないと認められる場合など）に、後置光増幅器が所定のシャットダウンのタイミングの情報に従ってシャットダウンすることにより行われる。このように、動作タイミングの整合は、前置光増幅器２０がフラグを送信し、後置光増幅器がフラグを受信することにより実現される。
【００５１】
動作タイミングを整合させることによって、光サージの発生等の問題動作の発生を回避することができる。なお、このタイミングの情報は、励起レーザ素子２１ｄからの励起レーザ光のシャットダウン時の立下り時間または再起動時の立上がり時間の情報も含まれている。立下り時間または立上がり時間の不整合によっても、予期せぬ誤動作が生じる可能性があるからである。
【００５２】
後置光増幅器のアラーム条件に関する情報には、アラームの発出、解除の閾値や、アラームの発出、解除のタイミング、保持・非保持条件、マスクなどが含まれる。保持・非保持条件とは、たとえばアラームの発出を保持または非保持とする条件である。たとえば、アラームの発出を、異常動作が起こった場所や原因が特定されるまで保持するように条件を設定しておけば、故障箇所の特定が容易となる。また、マスクとは、アラームを発出するための判定期間や判定回数の設定であり、たとえばアラームの発出条件が所定の回数だけ発生したときに、初めてアラームを発出するようにマスクを設定する。
【００５３】
後置光増幅器の固有情報とは、たとえば静特性、動特性等の動作を設定するための条件や、ファームウェアやハードウェアのバージョン情報である。
【００５４】
データＤ２−１〜Ｄ２−Ｎのそれぞれは、上述したすべての情報を含んでいても良いし、その中から適宜選択された情報を含んでいてもよい。あるいは、交換前の後置光増幅器に関する情報と、交換後の後置光増幅器に関する情報との差分を、前置光増幅器２０の前置増幅部用制御回路２２または交換後の後置光増幅器が判定して、その差分だけを、交換後の後置光増幅器が前置増幅部用制御回路２２から受信するようにしてもよい。
【００５５】
（実施の形態２）
図３は、本発明の実施の形態２に係る光伝送システムの模式的な構成図である。この光伝送システム２００は、前置光増幅器２０の上位側に、光入力ポート１０を介して上位ネットワークエレメント８０が接続されている点で、光伝送システム１００とは異なっており、その他の点では同一である。
【００５６】
上位ネットワークエレメント８０は、たとえば、信号光を出力する光伝送装置である光送信装置や、前置光増幅器２０よりもさらに上位の光増幅器等の光伝送装置で構成されている。上位ネットワークエレメント８０は、監視制御装置とも呼ばれるものであり、システムの故障管理、構成の管理、また、必要に応じてパフォーマンスやセキュリティを管理・監視する機能を有する装置を含むものであってもよい。
【００５７】
この光伝送システム２００では、上位ネットワークエレメント８０を構成するいずれかの光伝送装置（第１光伝送装置）の制御回路（第１制御回路）が、後置光増幅器４０−１〜４０−Ｎのそれぞれの動作を制御するために使用される情報のデータＤ２−１〜Ｄ２−Ｎのすべてを含むデータＤ１、および、前置光増幅器２０の動作を制御するために使用される情報のデータを記憶している。そして、前置光増幅器２０および後置光増幅器４０−１〜４０−Ｎのいずれかが故障し、交換された場合に、交換後の前置または後置光増幅器（第２光伝送装置）の制御回路（第２制御回路）は、上位ネットワークエレメント８０の光伝送装置の制御回路と通信を行い、交換前の前置または後置増幅部の動作を制御するために使用されていた情報のデータを取得する。なお、交換後の後置光増幅器については、前置光増幅器２０を経由してデータの取得を行う。この光伝送システム２００では、交換後の前置または後置光増幅器は、前置光増幅器２０よりも上位の光伝送装置から使用される情報のデータを取得する構成となっている。これによって、前置および後置光増幅器のいずれが交換されても、動作タイミングの連動性等が保たれるので、さらにインテリジェントな動作制御を設定することが可能となる。
【００５８】
（実施の形態３）
図４は、本発明の実施の形態３に係る光伝送システムの模式的な構成図である。この光伝送システム３００は、以下の２点において、光伝送システム１００とは異なっている。
【００５９】
まず、光伝送システム３００では、前置光増幅器２０の前置増幅部用制御回路２２を介して後置増幅部用制御回路４２−１〜４２−Ｎの相互を接続する電気信号伝送路ＥＬ２が構成されている。なお、図４では、例として、後置増幅部用制御回路４２−１と後置増幅部用制御回路４２−Ｎとを接続する電気信号の経路ＥＬ３を示している。
【００６０】
また、光伝送システム３００では、後置増幅部用制御回路４２−１〜４２−Ｎのそれぞれが、データＤ２−１〜Ｄ２−Ｎのすべてを含むデータＤ１を記憶している。
【００６１】
光伝送システム３００では、後置光増幅器４０−１〜４０−Ｎのいずれかが故障し、交換された場合に、交換後の後置光増幅器の後置増幅部用制御回路は、他の後置光増幅器の後置増幅部用制御回路と通信を行い、交換前の後置光増幅器の動作を制御するために使用される情報のデータを取得する。通信の態様としては、経路ＥＬ３を用いた後置光増幅器の後置増幅部用制御回路同士の直接的な通信や、電気信号伝送路ＥＬ２を用いた、前置光増幅器２０の前置増幅部用制御回路２２を介した、後置光増幅器の後置増幅部用制御回路同士の通信が例示される。
【００６２】
この光伝送システム３００では、後置光増幅器４０−１〜４０−Ｎが相互に通信し、データの送受信を行うので、より冗長性、信頼性が高い光伝送システムである。
【００６３】
（実施の形態４）
図５は、本発明の実施の形態４に係る光伝送システムの模式的な構成図である。この光伝送システム４００は、以下の点において、光伝送システム１００とは異なっている。
【００６４】
すなわち、光伝送システム４００では、後置増幅部用制御回路４２−１〜４２−Ｎのそれぞれが、後置光増幅器４０−１〜４０−Ｎのそれぞれの動作を制御するために使用される情報のデータＤ２−１〜Ｄ２−Ｎのすべて、および、前置光増幅器２０の動作を制御するために使用される情報のデータ（♯ＰＡで示す）を含むデータＤ３を記憶している。なお、前置増幅部用制御回路２２は、電気信号伝送路と電気コネクタとを介して後置増幅部用制御回路４２−１〜４２−Ｎのそれぞれに接続しているが、図５では、前置増幅部用制御回路２２と後置増幅部用制御回路４２−２、４２−Ｎとを接続する電気信号伝送路ＥＬ４のみを示している。
【００６５】
この光伝送システム４００では、光伝送システム３００と同様に、後置光増幅器４０−１〜４０−Ｎのいずれかが故障し、交換された場合に、交換後の後置光増幅器の後置増幅部用制御回路は、他の後置光増幅器の後置増幅部用制御回路と、前置光増幅器２０の前置増幅部用制御回路２２を介した通信を行い、交換前の後置光増幅器の動作を制御するために使用されていた情報のデータを取得する。
【００６６】
さらに、光伝送システム４００では、前置光増幅器２０が故障し、交換された場合に、交換後の前置光増幅器の前置増幅部用制御回路は、後置光増幅器４０−１〜４０−Ｎのいずれか（図５では後置光増幅器４０−２）の後置増幅部用制御回路と通信を行い、交換後の前置光増幅器の動作を制御するために使用される情報のデータを取得する。
【００６７】
この光伝送システム４００では、後置光増幅器４０−１〜４０−Ｎが相互に通信し、データの送受信を行うとともに、上位の前置光増幅器２０の制御に関する情報を、下位の後置光増幅器４０−１〜４０−Ｎが有する構成とすることによって、冗長性、信頼性を高めている。
【００６８】
ここで、前置光増幅器２０の動作を制御するために使用される情報としては、実施の形態１と同様に、たとえば、前置光増幅器２０の静特性、動特性、アラーム条件、または固有情報である。前置光増幅器２０の静特性、アラーム条件、固有情報は、実施の形態１で述べた後置光増幅器の静特性、アラーム条件、固有情報と同様の情報であってよい。
【００６９】
前置光増幅器２０の動特性に関する情報には、たとえば、前置光増幅器２０が交換された後の前置光増幅器２０の起動のタイミング、前置光増幅器２０のシャットダウンおよびその後の再起動のタイミングなどが含まれる。シャットダウンおよび再起動のタイミングの情報は、交換された前置光増幅器２０の前後に接続された光増幅器との動作タイミングの整合のために必要となる。この動作タイミングの整合は、たとえば、後置光増幅器がフラグとしてＯＦＦ状態を示すものを送信し、前置光増幅器２０が接続されたすべての後置光増幅器からＯＦＦ状態のフラグを受信した場合に、前置光増幅器２０が所定のタイミングの情報に従って起動、再起動またはシャットダウンすることにより行われる。また、この動作タイミングの整合は、たとえば、前置光増幅器２０のフラグの受信状態から、すべての後置光増幅器がＯＦＦ状態または接続されていないと認められる場合に、前置光増幅器２０が所定のタイミングの情報に従って起動、再起動またはシャットダウンすることにより行われてもよい。このように、動作タイミングの整合は、後置光増幅器がフラグを送信し、前置光増幅器２０がフラグを受信することにより実現される。このような動作タイミングの整合により、たとえば、後置光増幅器が前置光増幅器２０より先にＯＮ状態となることがないように、起動または再起動のタイミングの整合を行うことができる。
【００７０】
なお、上記実施の形態に係る光増幅器の構成は例示である。光増幅器は、たとえば複数の励起レーザ素子を備える構成や、多段構成等でもよい。
【００７１】
また、上記実施の形態では、前置光増幅器と後置光増幅器で構成されているが、後置光増幅器の出力側にさらに光分配器と複数の後置光増幅器とを接続してもよい。
【００７２】
また、上記実施の形態では、データの通信を、電気信号伝送路を介して行っているが、無線や光信号にて通信をおこなってもよい。
【００７３】
また、上記実施の形態では、分岐した光伝送路上に配置されている光伝送装置としては、おもに光増幅器であるが、他の光伝送装置に適宜置き換えてもよい。また、異なる種類の光伝送装置が混在して配置されていてもよい。
【００７４】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【産業上の利用可能性】
【００７５】
以上のように、本発明に係る光伝送システムは、光通信の分野に利用して好適なものである。
【符号の説明】
【００７６】
１０  光入力ポート
２０  前置光増幅器
２１  前置増幅部
２１ａ、２１ｆ  光カプラ
２１ｂ、２１ｇ  光検出器
２１ｃ  波長多重合分波カプラ
２１ｄ  励起レーザ素子
２１ｅ  増幅用光ファイバ
２２  前置増幅部用制御回路
２２ａ  デジタル／アナログ変換部
２２ｂ  アナログ／デジタル変換部
２２ｃ  演算処理部
２２ｄ  記憶部
２２ｅ  入出力部
３０  光分配器
４０−１〜４０−Ｎ  後置光増幅器
４１−１〜４１−Ｎ  後置増幅部
４２−１〜４２−Ｎ  後置増幅部用制御回路
５０−１〜５０−Ｎ  光出力ポート
６０−１〜６０−Ｎ  光コネクタ
７０−１〜７０−Ｎ  電気コネクタ
８０  上位ネットワークエレメント
１００、２００、３００、４００  光伝送システム
Ｄ１  データ
Ｄ２−１〜Ｄ２―Ｎ  データ
Ｄ３  データ
ＥＬ１、ＥＬ２、ＥＬ４  電気信号伝送路
ＥＬ３  経路
ＰＣ  パーソナルコンピュータ
【図１】
2014104355.tif 000003
【図２】
2014104355.tif 000004
【図３】
2014104355.tif 000005
【図４】
2014104355.tif 000006
【図５】
2014104355.tif 000007
【図６】
2014104355.tif 000008
【国際調査報告】
2014104355.tif 000009
2014104355.tif 000010
2014104355.tif 000011
2014104355.tif 000012